(57)【特許請求の範囲】
【請求項１】
電力供給装置を所有する複数の需要家間において余剰電力を融通し合う電力供給制御システムであって、
前記複数の需要家に対して系統から供給される電力の供給状況に関する情報を取得する第１電力状況取得部と、
前記複数の需要家における前記系統からの電力供給状況に関する情報を取得して、停電が発生した配電網の範囲を検出する第２電力状況取得部と、
前記複数の需要家ごとの前記電力供給装置による電力供給量に関する情報を取得する電力量情報取得部と、
前記電力量情報取得部において取得された情報に基づいて、前記複数の需要家ごとの電力の需給状況を予測する電力需給予測部と、
前記第１および前記第２電力状況取得部および前記電力量情報取得部において取得された情報と前記電力需給予測部における予測結果とに基づいて、前記複数の需要家の間における余剰電力の供給元と供給先とを決定する制御部と、
を備えている電力供給制御システム。
【請求項２】
前記電力状況取得部は、前記系統からの電力供給が停止した停電に関する情報を取得する、
請求項１に記載の電力供給制御システム。
【請求項３】
前記制御部は、前記電力状況取得部が前記系統からの電力供給が停止したとの情報を取得すると、前記複数の需要家の間における余剰電力の供給元と供給先とを決定する、
請求項１または２に記載の電力供給制御システム。
【請求項４】
前記電力状況取得部は、前記複数の需要家に対する電力の供給状況に関する情報を、各需要家から取得する、
請求項１から３のいずれか１項に記載の電力供給制御システム。
【請求項５】
前記複数の需要家には、第１の需要家と第２の需要家とが含まれており、
前記電力需給予測部の予測結果に基づいて、前記第１の需要家における電力の需要条件と、前記第２の需要家における電力の供給条件とをマッチングするマッチング部を、さらに備えている、
請求項１から４のいずれか１項に記載の電力供給制御システム。
【請求項６】
前記第１の需要家における電力の需要条件には、前記電力供給装置の種類、必要な電力量、日時、時間帯、場所、電力の単価、対価のうちの少なくとも１つが含まれる、
請求項５に記載の電力供給制御システム。
【請求項７】
前記第２の需要家における電力の供給条件には、負荷の種類、供給可能な電力量、日時、時間帯、場所、電力の単価、対価のうちの少なくとも１つが含まれる、
請求項５または６に記載の電力供給制御システム。
【請求項８】
前記需要条件と前記供給条件とを保存する記憶部を、さらに備えている、
請求項５から７のいずれか１項に記載の電力供給制御システム。
【請求項９】
前記需要条件は、前記第１の需要家によって入力される、
請求項５から８のいずれか１項に記載の電力供給制御システム。
【請求項１０】
前記供給条件は、前記第２の需要家によって入力される、
請求項５から９のいずれか１項に記載の電力供給制御システム。
【請求項１１】
前記制御部は、所定の優先順位に基づいて、前記複数の需要家の間における余剰電力の供給元と供給先とを決定する、
請求項１から４のいずれか１項に記載の電力供給制御システム。
【請求項１２】
前記所定の優先順位に関する情報を保存する記憶部を、さらに備えている、
請求項１１に記載の電力供給制御システム。
【請求項１３】
前記電力需給予測部は、天気予報の情報を用いて、所定時間帯における前記電力供給装置に含まれる発電装置による発電量を予測する、
請求項１から１２のいずれか１項に記載の電力供給制御システム。
【請求項１４】
前記電力需給予測部は、前記電力供給装置に含まれる蓄電装置の現在の蓄電量を用いて、所定時間帯における前記蓄電装置の蓄電量を予測する、
請求項１から１３のいずれか１項に記載の電力供給制御システム。
【請求項１５】
前記電力需給予測部は、前記複数の需要家の過去の生活パターンに応じた消費電力量を記録したデータに基づいて、前記複数の需要家における消費電力量を推定する、
請求項１から１４のいずれか１項に記載の電力供給制御システム。
【請求項１６】
電力供給装置を所有する複数の需要家間において余剰電力を融通し合う電力供給制御方法であって、
前記複数の需要家に対して系統から供給される電力の供給状況に関する情報を取得する第１電力状況取得ステップと、
前記複数の需要家における前記系統からの電力供給状況に関する情報を取得して、停電が発生した配電網の範囲を検出する第２電力状況取得ステップと、
前記複数の需要家ごとの前記電力供給装置による電力供給量に関する情報を取得する電力量情報取得ステップと、
前記電力量情報取得ステップにおいて取得された情報に基づいて、前記複数の需要家ごとの電力の需給状況を予測する電力需給予測ステップと、
前記第１および前記第２電力状況取得ステップおよび前記電力量情報取得ステップにおいて取得された情報と前記電力需給予測ステップにおける予測結果とに基づいて、前記複数の需要家の間における余剰電力の供給元と供給先とを決定する制御ステップと、
を備えている電力供給制御方法。
【請求項１７】
電力供給装置を所有する複数の需要家間において余剰電力を融通し合う電力供給制御プログラムであって、
前記複数の需要家に対して系統から供給される電力の供給状況に関する情報を取得する第１電力状況取得ステップと、
前記複数の需要家における前記系統からの電力供給状況に関する情報を取得して、停電が発生した配電網の範囲を検出する第２電力状況取得ステップと、
前記複数の需要家ごとの前記電力供給装置による電力供給量に関する情報を取得する電力量情報取得ステップと、
前記電力量情報取得ステップにおいて取得された情報に基づいて、前記複数の需要家ごとの電力の需給状況を予測する電力需給予測ステップと、
前記第１および前記第２電力状況取得ステップおよび前記電力量情報取得ステップにおいて取得された情報と前記電力需給予測ステップにおける予測結果とに基づいて、前記複数の需要家の間における余剰電力の供給元と供給先とを決定する制御ステップと、
を備えている電力供給制御方法をコンピュータに実行させる電力供給制御プログラム。
【発明の詳細な説明】
【技術分野】
【０００１】
本発明は、例えば、停電発生時等のように電力供給状況が逼迫した状況において、複数の需要家間における余剰電力の供給を制御する電力供給制御システム、電力供給制御方法および電力供給制御プログラムに関する。
【背景技術】
【０００２】
近年、再生可能エネルギーを利用して発電する発電電力装置（例えば、太陽光発電装置）が活用されている。わが国においては、余剰電力買い取り制度が制定されているため、太陽光発電装置や風力発電電装置等で発電された電力を電力会社に売ることができる。
一方、発電した電力を電力会社に売ることができない場合がある。例えば、電力会社が買い取り可能な所定の電力量を超えた場合（以下：出力抑制と示す。）等である。このため、需要家は、売却できなかった電力を一時貯めることが可能な蓄電池を用いることがある。
【０００３】
しかしながら、蓄電池の残電池容量に対して、発電装置で発電される電力量が多い場合には、発電装置において発電された電力を捨てなければならない場合がある。
例えば、特許文献１には、電力エネルギーをヘッダ情報に付した電力パケットにより配送することにより、需要家と需要家との間においてエンドツーエンドに供給と需給ができる電力パケットシステムについて開示されている。
【先行技術文献】
【特許文献】
【０００４】
【特許文献１】特開２０１１−１４２７７１号公報
【発明の概要】
【発明が解決しようとする課題】
【０００５】
しかしながら、上記従来の電力パケットシステムでは、以下に示すような問題点を有している。
すなわち、上記公報に開示された電力パケットシステムでは、例えば、停電時等のように、系統からの電力供給が逼迫した状況になった際に、複数の需要家間において余剰電力が発生している場合でも、この余剰電力を有効に活用することについて何ら考慮されていない。
【０００６】
本発明の課題は、系統からの電力の供給状況に応じて、複数の需要家間において余剰電力を有効に活用することが可能な電力供給制御システム、電力供給制御方法および電力供給制御プログラムを提供することにある。
【課題を解決するための手段】
【０００７】
第１の発明に係る電力供給制御システムは、電力供給装置を所有する複数の需要家間において余剰電力を融通し合う電力供給制御システムであって、電力状況取得部と、電力量情報取得部と、電力需給予測部と、制御部と、を備えている。電力状況取得部は、系統から複数の需要家に対する電力の供給状況に関する情報を取得する。電力量情報取得部は、複数の需要家ごとの電力供給装置による電力供給量に関する情報を取得する。電力需給予測部は、電力量情報取得部において取得された情報に基づいて、複数の需要家ごとの電力の需給状況を予測する。制御部は、電力状況取得部および電力量情報取得部において取得された情報と電力需給予測部における予測結果とに基づいて、複数の需要家の間における余剰電力の供給元と供給先とを決定する。
【０００８】
ここでは、系統から各需要家への電力の供給状況を検出し、電力の供給状況が逼迫した状況である場合には、電力供給装置を所有する需要家を含む需要家群において余剰電力が発生した需要家（供給元）から電力を必要とする需要家（供給先）に対して、電力供給を行う。
ここで、系統からの電力の供給状況が逼迫した状況には、例えば、系統からの電力供給が停止される停電時、夏季に空調装置の稼働等によって電力供給量に対して電力需要量が上回った状況等が含まれる。
【０００９】
また、複数の需要家を含む需要家群は、電力供給装置を所有している需要家を少なくとも１つ含んでいればよく、電力供給装置を所有していない需要家を含んでいてもよい。また、需要家群は、２つ以上の需要家を含むグループであって、配電線によって各需要家間が接続されている。
なお、需要家が所有する電力供給装置としては、例えば、太陽光発電装置、風力発電装置、地熱発電装置等の再生可能エネルギーを活用した発電装置、発電機、バイナリー発電装置、電気自動車、蓄電装置等が含まれる。
【００１０】
電力状況取得部において取得される情報には、停電の発生、系統からの電力の供給量に対する需要量のバランス、その予想等、系統からの電力供給に関する情報全般が含まれる。
電力需給予測部では、需要家が所有する電力供給装置に関する情報（例えば、発電量、蓄電量等）および需要家における消費電力量に関する情報に基づいて、電力供給装置による供給電力量の総和量と負荷による消費電力量の総和量とを比較することで、各需要家における電力の需要と供給のバランスを予測する。
【００１１】
制御部は、電力会社から電力が供給される系統からの電力供給状況、および電力需給予測部における予測結果に基づいて、余剰電力が発生する需要家から電力を必要とする需要家へ電力が供給されるように、供給元となる需要家供給先となる需要家とを設定する。
これにより、複数の需要家を含む需要家群において、系統からの電力の供給状況が逼迫している場合には、余剰電力が生じた需要家から電力を必要とする需要家へ電力が供給されるように制御することができる。
【００１２】
この結果、系統からの電力供給が逼迫する状況が発生した場合でも、需要家群内において、電力の供給側となる需要家から需要側となる需要家に対して、余剰電力を供給することで、余剰電力を有効に活用することができる。
第２の発明に係る電力供給制御システムは、第１の発明に係る電力供給制御システムであって、電力状況取得部は、系統からの電力供給が停止した停電に関する情報を取得する。
【００１３】
ここでは、系統からの電力供給状況として、系統からの電力供給が停止される停電発生時を想定している。
これにより、停電によって系統からの電力供給が停止された際に、需要家群内において余剰電力が生じている場合には、電力を必要とする需要家に対して、余剰電力が発生した需要家から電力を供給することができる。この結果、複数の需要家を含む需要家群内において生じた余剰電力を有効に活用することができる。
【００１４】
第３の発明に係る電力供給制御システムは、第１または第２の発明に係る電力供給制御システムであって、制御部は、電力状況取得部が系統からの電力供給が停止したとの情報を取得すると、複数の需要家の間における余剰電力の供給元と供給先とを決定する。
ここでは、電力状況取得部が系統からの電力供給が停止したとの情報（停電情報）を取得した場合には、制御部が、需要家間において余剰電力の融通を行うように制御を行う。
【００１５】
これにより、系統からの電力供給が停止する停電発生時においても、需要家間において生じた余剰電力を融通し合うことができる。
第４の発明に係る電力供給制御システムは、第１から第３の発明のいずれか１つに係る電力供給制御システムであって、電力状況取得部は、複数の需要家に対する電力の供給状況に関する情報を、各需要家から取得する。
【００１６】
ここでは、電力の供給状況は、各需要家からそれぞれ取得される。
これにより、例えば、停電発生時には、停電が発生した配電網に属する需要家から直接、停電に関する情報を取得することで、同じ配電網に属する需要家においても停電が発生していることを推定することができる。
この結果、例えば、停電が発生した地区の需要家における個々の電力需給状況を予測して、需要量が供給量を上回る需要家に対して、余剰電力が生じる需要家から電力を供給することができる。
【００１７】
第５の発明に係る電力供給制御システムは、第１から第４の発明のいずれか１つに係る電力供給制御システムであって、複数の需要家には、第１の需要家と第２の需要家とが含まれている。電力供給制御システムは、電力需給予測部の予測結果に基づいて、第１の需要家における電力の需要条件と、第２の需要家における電力の供給条件とをマッチングするマッチング部を、さらに備えている。
【００１８】
ここでは、電力需給予測部の予測結果に基づいて、第１の需要家における需要条件と第２の需要家における供給条件とを照合して、所定時間帯において余剰電力を必要とする第１の需要家（供給先）と、当該時間帯に余剰電力が発生する第２の需要家（供給元）との組合せを検出する。
なお、マッチング部において検出される第１の需要家と第２の需要家の組み合わせは、１つであってもよいし、複数であってもよい。
【００１９】
これにより、系統からの電力供給が逼迫した状況において、第２の需要家において余剰電力が発生する場合には、第１の需要家における需要条件と第２の需要家における供給可能条件を照合して、適切な組合せをマッチングすることができる。
よって、系統からの電力供給が逼迫した状況下において、第２の需要家において発生した余剰電力を、複数の需要家間において有効に活用することができる。この結果、電力供給装置を所有する複数の需要家間において効率的に余剰電力を融通し合うことができる。
【００２０】
第６の発明に係る電力供給制御システムは、第５の発明に係る電力供給制御システムであって、第１の需要家における電力の需要条件には、電力供給装置の種類、必要な電力量、日時、時間帯、場所、電力の単価、対価のうちの少なくとも１つが含まれる。
ここでは、第１の需要家における電力の需要条件は、第１の需要家が受け取りを希望する電力供給装置の種類、必要電力量、受取希望日時、時間帯、場所、電力の単価、対価等の情報を含む。
【００２１】
これにより、第１の需要家において必要な電力量だけでなく、第２の需要家から余剰電力を受け取る電力供給装置の種類（例えば、太陽光発電装置等）、希望日時、時間帯、第２の需要家の場所、余剰電力の単価、対価に関する情報を用いて、最適な第２の需要家とのマッチングを行うことができる。
第７の発明に係る電力供給制御システムは、第５または第６の発明に係る電力供給制御システムであって、第２の需要家における電力の供給条件には、負荷の種類、供給可能な電力量、日時、時間帯、場所、電力の単価、対価のうちの少なくとも１つが含まれる。
【００２２】
ここでは、第２の需要家における電力の供給条件は、第１の需要家が所有する負荷の種類、第２の需要家が供給可能な電力量、供給希望日時、時間帯、場所、電力の単価、対価等の情報を含む。
これにより、第２の需要家において供給可能な余剰電力量だけでなく、第１の需要家が所有する負荷の種類、第１の需要家へ余剰電力を供給可能な日時、時間帯、第１の需要家の場所、余剰電力の単価、対価に関する情報を用いて、最適な第１の需要家とのマッチングを行うことができる。
【００２３】
第８の発明に係る電力供給制御システムは、第５から第７の発明のいずれか１つに係る電力供給制御システムであって、需要条件と供給条件とを保存する記憶部を、さらに備えている。
ここでは、第１の需要家の需要条件と第２の需要家の供給条件とを、システム内に設けられた記憶部に保存する。
【００２４】
これにより、例えば、所定時間経過ごとに、記憶部に保存された各種情報を用いて、第１の需要家と第２の需要家とを組み合わせを検出して、電力融通のマッチングを行うことができる。
第９の発明に係る電力供給制御システムは、第５から第８の発明のいずれか１つに係る電力供給制御システムであって、需要条件は、第１の需要家によって入力される。
【００２５】
ここでは、第１の需要家によって入力された電力の需要条件を用いて、電力需給予測部が電力需給を予測する。
これにより、例えば、ＰＣ（Personal Computer）やスマートフォン等の電子端末を用いて第１の需要家から直接入力された需要条件を用いて、第１の需要家における電力需給を予測することができる。
【００２６】
第１０の発明に係る電力供給制御システムは、第５から第９の発明のいずれか１つに係る電力供給制御システムであって、供給条件は、第２の需要家によって入力される。
ここでは、余剰電力の供給条件として、電力供給装置に関する情報が、第２の需要家によって入力される。
なお、入力される電力供給装置に関する情報としては、電力供給装置の種類、発電能力、天気予報に基づく推定発電量、蓄電装置の蓄電量、蓄電池の満充電容量等の情報が含まれる。
【００２７】
これにより、例えば、ＰＣ（Personal Computer）やスマートフォン等の電子端末を用いて第２の需要家から直接入力された電力供給装置に関する情報を用いて、第２の需要家における電力需給を予測することができる。
第１１の発明に係る電力供給制御システムは、第１から第４の発明のいずれか１つに係る電力供給制御システムであって、制御部は、所定の優先順位に基づいて、複数の需要家の間における余剰電力の供給元と供給先とを決定する。
【００２８】
ここでは、余剰電力の供給先として複数の需要家が存在する場合には、所定の条件に基づいて優先順位を付けて、供給先を決定する。
具体的な条件としては、病院等の公共機関、親族、友人等の需要家を優先的に選択するように予め条件設定されていればよい。
これにより、病院等の公共機関や親族、友人、知人等の需要家を優先的に選択して、余剰電力を供給することができる。
【００２９】
第１２の発明に係る電力供給制御システムは、第１１の発明に係る電力供給制御システムであって、所定の優先順位に関する情報を保存する記憶部を、さらに備えている。
ここでは、余剰電力の供給先を決定する際に用いられる所定の優先順位に関する情報を、システム内に設けられた記憶部に保存する。
これにより、例えば、予め記憶部に保存された優先順位に関する情報を用いて、病院等の公共機関に優先的に余剰電力を供給することができる。
【００３０】
第１３の発明に係る電力供給制御システムは、第１から第１２の発明のいずれか１つに係る電力供給制御システムであって、電力需給予測部は、天気予報の情報を用いて、所定時間帯における電力供給装置に含まれる発電装置による発電量を予測する。
ここでは、電力需給予測部において、天気予報に関する情報を用いて電力供給装置（発電装置）における発電量を予測する。
【００３１】
これにより、例えば、電力供給装置が太陽光発電装置の場合には、天気予報の日照時間の情報を用いて、太陽光発電装置による発電量を予測することができる。また、例えば、電力供給装置が風力発電装置の場合には、天気予報の風速の情報を用いて、風力発電装置による発電量を予測することができる。
第１４の発明に係る電力供給制御システムは、第１から第１３の発明のいずれか１つに係る電力供給制御システムであって、電力需給予測部は、電力供給装置に含まれる蓄電装置の現在の蓄電量を用いて、所定時間帯における蓄電装置の蓄電量を予測する。
【００３２】
ここでは、電力需給予測部における需給予測に、現在の蓄電装置の蓄電量を用いる。
これにより、例えば、所定時間帯における需要家ごとの電力供給装置の発電量、消費電力量の推定値とともに、現在の蓄電池の蓄電量を用いて、所定時間帯における需要家ごとの電力需給を予測することができる。
第１５の発明に係る電力供給制御システムは、第１から第１４の発明のいずれか１つに係る電力供給制御システムであって、電力需給予測部は、複数の需要家の過去の生活パターンに応じた消費電力量を記録したデータに基づいて、複数の需要家における消費電力量を推定する。
【００３３】
ここでは、電力需給予測部における消費電力量の推定に、複数の需要家ごとの生活パターンに応じた消費電力量を記録したデータを用いる。
これにより、例えば、ある需要家が日中よりも夜間の消費電力量が多い生活パターンの場合には、太陽光発電装置による発電量が多く、消費電力量が少ない日中の時間帯に余剰電力が生じる可能性が高いことが分かる。よって、需要家ごとに余剰電力が生じやすい時間帯を検出して、消費電力量の推定精度を向上させることができる。
【００３４】
第１６の発明に係る電力供給制御方法は、電力供給装置を所有する複数の需要家間において余剰電力を融通し合う電力供給制御方法であって、電力状況取得ステップと、電力量情報取得ステップと、電力需給予測ステップと、制御ステップと、を備えている。電力状況取得ステップは、系統から複数の需要家に対する電力の供給状況に関する情報を取得する。電力量情報取得ステップは、複数の需要家ごとの電力供給装置による電力供給量に関する情報を取得する。電力需給予測ステップは、電力量情報取得ステップにおいて取得された情報に基づいて、複数の需要家ごとの電力の需給状況を予測する。制御ステップは、電力状況取得ステップおよび電力量情報取得ステップにおいて取得された情報と電力需給予測ステップにおける予測結果とに基づいて、複数の需要家の間における余剰電力の供給元と供給先とを決定する。
【００３５】
ここでは、系統から各需要家への電力の供給状況を検出し、電力の供給状況が逼迫した状況である場合には、電力供給装置を所有する需要家を含む需要家群において余剰電力が発生した需要家（供給元）から電力を必要とする需要家（供給先）に対して、電力供給を行う。
ここで、系統からの電力の供給状況が逼迫した状況には、例えば、系統からの電力供給が停止される停電時、夏季に空調装置の稼働等によって電力供給量に対して電力需要量が上回った状況等が含まれる。
【００３６】
また、複数の需要家を含む需要家群は、電力供給装置を所有している需要家を少なくとも１つ含んでいればよく、電力供給装置を所有していない需要家を含んでいてもよい。また、需要家群は、２つ以上の需要家を含むグループであって、配電線によって各需要家間が接続されている。
なお、需要家が所有する電力供給装置としては、例えば、太陽光発電装置、風力発電装置、地熱発電装置等の再生可能エネルギーを活用した発電装置、発電機、バイナリー発電装置、電気自動車、蓄電装置等が含まれる。
【００３７】
電力状況取得ステップにおいて取得される情報には、停電の発生、系統からの電力の供給量に対する需要量のバランス、その予想等、系統からの電力供給に関する情報全般が含まれる。
電力需給予測ステップでは、需要家が所有する電力供給装置に関する情報（例えば、発電量、蓄電量等）および需要家における消費電力量に関する情報に基づいて、電力供給装置による供給電力量の総和量と負荷による消費電力量の総和量とを比較することで、各需要家における電力の需要と供給のバランスを予測する。
【００３８】
制御ステップは、電力会社から電力が供給される系統からの電力供給状況、および電力需給予測ステップにおける予測結果に基づいて、余剰電力が発生する需要家から電力を必要とする需要家へ電力が供給されるように、供給元となる需要家供給先となる需要家とを設定する。
これにより、複数の需要家を含む需要家群において、系統からの電力の供給状況が逼迫している場合には、余剰電力が生じた需要家から電力を必要とする需要家へ電力が供給されるように制御することができる。
【００３９】
この結果、系統からの電力供給が逼迫する状況が発生した場合でも、需要家群内において、電力の供給側となる需要家から需要側となる需要家に対して、余剰電力を供給することで、余剰電力を有効に活用することができる。
第１７の発明に係る電力供給制御プログラムは、電力供給装置を所有する複数の需要家間において余剰電力を融通し合う電力供給制御プログラムであって、電力状況取得ステップと、電力量情報取得ステップと、電力需給予測ステップと、制御ステップと、を備えた電力供給制御方法をコンピュータに実行させる。電力状況取得ステップは、系統から複数の需要家に対する電力の供給状況に関する情報を取得する。電力量情報取得ステップは、複数の需要家ごとの電力供給装置による電力供給量に関する情報を取得する。電力需給予測ステップは、電力量情報取得ステップにおいて取得された情報に基づいて、複数の需要家ごとの電力の需給状況を予測する。制御ステップは、電力状況取得ステップおよび電力量情報取得ステップにおいて取得された情報と電力需給予測ステップにおける予測結果とに基づいて、複数の需要家の間における余剰電力の供給元と供給先とを決定する。
【００４０】
ここでは、系統から各需要家への電力の供給状況を検出し、電力の供給状況が逼迫した状況である場合には、電力供給装置を所有する需要家を含む需要家群において余剰電力が発生した需要家（供給元）から電力を必要とする需要家（供給先）に対して、電力供給を行う。
ここで、系統からの電力の供給状況が逼迫した状況には、例えば、系統からの電力供給が停止される停電時、夏季に空調装置の稼働等によって電力供給量に対して電力需要量が上回った状況等が含まれる。
【００４１】
また、複数の需要家を含む需要家群は、電力供給装置を所有している需要家を少なくとも１つ含んでいればよく、電力供給装置を所有していない需要家を含んでいてもよい。また、需要家群は、２つ以上の需要家を含むグループであって、配電線によって各需要家間が接続されている。
なお、需要家が所有する電力供給装置としては、例えば、太陽光発電装置、風力発電装置、地熱発電装置等の再生可能エネルギーを活用した発電装置、発電機、バイナリー発電装置、電気自動車、蓄電装置等が含まれる。
【００４２】
電力状況取得ステップにおいて取得される情報には、停電の発生、系統からの電力の供給量に対する需要量のバランス、その予想等、系統からの電力供給に関する情報全般が含まれる。
電力需給予測ステップでは、需要家が所有する電力供給装置に関する情報（例えば、発電量、蓄電量等）および需要家における消費電力量に関する情報に基づいて、電力供給装置による供給電力量の総和量と負荷による消費電力量の総和量とを比較することで、各需要家における電力の需要と供給のバランスを予測する。
【００４３】
制御ステップは、電力会社から電力が供給される系統からの電力供給状況、および電力需給予測ステップにおける予測結果に基づいて、余剰電力が発生する需要家から電力を必要とする需要家へ電力が供給されるように、供給元となる需要家供給先となる需要家とを設定する。
これにより、複数の需要家を含む需要家群において、系統からの電力の供給状況が逼迫している場合には、余剰電力が生じた需要家から電力を必要とする需要家へ電力が供給されるように制御することができる。
【００４４】
この結果、系統からの電力供給が逼迫する状況が発生した場合でも、需要家群内において、電力の供給側となる需要家から需要側となる需要家に対して、余剰電力を供給することで、余剰電力を有効に活用することができる。
【発明の効果】
【００４５】
本発明に係る電力供給制御システムによれば、系統からの電力の供給状況に応じて、複数の需要家間において余剰電力を有効に活用することができる。
【図面の簡単な説明】
【００４６】
【図１】本発明の一実施形態に係る電力供給制御システムと需要家と系統との接続関係を示すブロック図。
【図２】図１の電力供給制御システムによって実行される電力供給制御方法の流れを示すフローチャート。
【図３】図１の電力供給制御システムによって実行される電力供給制御方法における余剰電力の供給の流れを示すフローチャート。
【図４】図１に示す需要家Ａ，Ｂを含む需要家群における現時点の系統からの電力供給状況を示す図。
【図５】図１に示す需要家Ａ，Ｂが所有する電力供給装置によって所定時間帯に供給される電力量を示す図。
【図６】図１に示す需要家Ａ，Ｂが所有する負荷によって所定時間帯に消費される電力量を示す図。
【図７】図１に示す需要家Ａ，Ｂ間において所定時間帯に余剰電力を融通し合う際の電力供給装置、電力供給量、所定時間帯を示す図。
【図８】本発明の他の実施形態に係る電力供給制御システムと需要家と系統との接続関係を示すブロック図。
【図９】本発明のさらに他の実施形態に係る電力供給制御システムと需要家と系統との接続関係を示すブロック図。
【図１０】本発明のさらに他の実施形態に係る電力供給制御システムと需要家と系統との接続関係を示すブロック図。
【図１１】本発明のさらに他の実施形態に係る電力供給制御システムと需要家と系統との接続関係を示すブロック図。
【発明を実施するための形態】
【００４７】
本発明の一実施形態に係る電力供給制御システムについて、図１〜図７を用いて説明すれば以下の通りである。
ここで、以下の説明において登場する需要家Ａ（第１の需要家、第２の需要家）２０は、電力供給装置として、発電装置（ソーラーパネル２１、風力発電装置２３および蓄電装置２７）を所有している。
【００４８】
また、需要家Ｂ（第２の需要家、第１の需要家）３０は、電力供給装置として、バイナリー発電装置３１と電気自動車３２とを所有している。
なお、本実施形態では、需要家Ａ，Ｂは、電力を必要とする側と余剰電力を供給する側とが時間帯によって入れ替わるものとする。
また、需要家とは、例えば、電力会社と契約を結んでおり、電力会社から系統５０（図１参照）を介して供給される電力を使用する個人、法人、団体等であって、例えば、一般家庭（戸建て、マンション）、企業（事業所、工場、設備等）、地方自治体、国の機関等が含まれる。なお、需要家には、自家発電によって電力をまかなう需要家、ＺＥＢ（Zero Energy Building）を実現した需要家も含まれる。
【００４９】
また、以下の実施形態では、説明の便宜上、需要家Ａ２０、需要家Ｂ３０を１つずつ挙げて説明している。しかし、本発明では、需要家Ａ２０と需要家Ｂ３０の組合せは、１対１に限定されるものではなく、例えば、１つの需要家Ａ２０に対して余剰電力を供給可能な複数の需要家Ｂ３０が存在していてもよい。
また、以下の実施形態において、系統４０（図１参照）とは、電力会社から供給される電力を各需要家に対して供給する電力系統を意味している。
【００５０】
さらに、以下の実施形態において、負荷２４，３４（図１参照）とは、例えば、需要家が一般家庭の場合には、エアコン、照明、冷蔵庫、電力レンジ、ＩＨクッキングヒータ、テレビ等の電力消費体を意味している。また、例えば、需要家が企業（工場等）の場合には、工場内に設置された各種設備、空調設備等の電力消費体を意味している。
さらに、以下の実施形態において、ＥＭＳ（Energy Management System）２６，３６（図１参照）とは、各需要家にそれぞれ設置されており、各需要家における消費電力量を削減するために設けられたシステムを意味している。そして、ＥＭＳ２６，３６は、ネットワークを介して電力供給制御システム１０と接続されている。
【００５１】
（実施形態１）
本実施形態の電力供給制御システム１０は、停電時等の系統４０からの電力供給が逼迫した状況を検出すると、電力供給装置（発電装置、蓄電装置等）を所有する需要家を含む複数の需要家間において余剰電力を融通し合うために設けられている。そして、電力供給制御システム１０は、図１に示すように、複数のスイッチング部２８，２９，３７，４１を切り替えながら、需要家Ａ（第１の需要家）２０および需要家Ｂ（第２の需要家）３０との間において余剰電力の融通を行う。
【００５２】
具体的には、電力供給制御システム１０は、系統４０から各需要家Ａ２０，Ｂ３０に対する電力供給の状況に関する情報を取得する。そして、電力供給制御システム１０は、所定の時間帯ごとに、複数の需要家を含む需要家群内において電力の需給状況を検出し、需給状況に基づいて、複数の需要家間において余剰電力を融通し合う。そして、電力供給制御システム１０は、マッチングされた需要家間において、余剰電力が供給されるように、スイッチング部２８，２９，３７を切り替える制御を行う。
【００５３】
なお、図１に示す各構成をつなぐ実線は、データ等の情報の流れを示しており、一点鎖線は電気の流れを示している。
また、本実施形態の電力供給制御システム１０の構成については、後段において詳述する。
（需要家Ａ）
需要家Ａ２０は、図１に示すように、ＥＭＳ（Energy Management System）２６を介して、電力供給制御システム１０に対して、所定時間帯ごとの需要家Ａ２０における系統電力の供給状況および電力の需給状況に関する情報を送信する。そして、需要家Ａ２０は、図１に示すように、ソーラーパネル（電力供給装置）２１、太陽光発電用電力変換装置（ＰＣＳ）２２、発電電力用電力センサ２２ａ、風力発電装置（電力供給装置）２３、風力発電用電力センサ２３ａ、負荷２４、負荷用電力センサ２４ａ、分電盤２５、ＥＭＳ２６、電力状況取得部２６ａ、蓄電装置２７、蓄電電力用電力センサ２７ａ、スイッチング部２８、およびスイッチング部２９を備えている。
【００５４】
ソーラーパネル（電力供給装置）２１は、太陽光の光エネルギーを用いた光起電力効果を利用して電気を発生させる発電装置であって、需要家Ａ２０の屋根等に設置されている。そして、ソーラーパネル２１における発電量は、天気予報の日照時間に関する情報に基づいて予測することができる。
太陽光発電用電力変換装置（ＰＣＳ（Power Conditioning System））２２は、図１に示すように、ソーラーパネル２１と接続されており、ソーラーパネル２１において発生した直流電流を交流電流に変換する。
【００５５】
発電電力用電力センサ２２ａは、図１に示すように、太陽光発電用電力変換装置２２に接続されており、ソーラーパネル２１において発電した電力量を測定する。そして、発電電力用電力センサ２２ａは、ＥＭＳ２６に対して測定結果（発電量）を送信する。
風力発電装置（電力供給装置）２３は、自然の風の力を利用して風車を回転させることで電気を発生させる発電装置であって、需要家Ａ２０の敷地内等に設置されている。そして、風力発電装置２３における発電量は、天気予報の風速に関する情報に基づいて予測することができる。
【００５６】
風力発電用電力センサ２３ａは、図１に示すように、風力発電装置２３に接続されており、風力発電装置２３によって発生した発電量を測定する。そして、風力発電用電力センサ２３ａは、ＥＭＳ２６に対して測定結果（発電量）を送信する。
負荷２４は、上述したように、一般家庭におけるエアコン、照明、テレビ（ＴＶ）、冷蔵庫等の家電製品、工場等における設備、空調装置等の電力消費体であって、系統４０から供給される電力、ソーラーパネル２１、風力発電装置２３によって発生した電力を消費する。
【００５７】
負荷用電力センサ２４ａは、図１に示すように、負荷２４に接続されており、負荷２４によって消費される電力量を測定する。そして、負荷用電力センサ２４ａは、ＥＭＳ２６に対して測定結果（消費電力量）を送信する。
分電盤２５は、図１に示すように、発電電力用電力センサ２２ａ、風力発電用電力センサ２３ａ、負荷用電力センサ２４ａ、蓄電電力用電力センサ２７ａと接続されている。そして、分電盤２５は、ソーラーパネル２１および風力発電装置２３において発電した電力、蓄電装置２７から供給される電力を、負荷２４に対して供給する。さらに、分電盤２５は、時間帯によって発生した余剰電力を、スイッチング部２８，２９等を介して、需要家Ｂあるいは系統４０へ供給する。これにより、需要家Ａ２０は、同じ需要家群に所属する需要家Ｂあるいは電力会社に対して余剰電力を売電することができる。
【００５８】
ＥＭＳ（Energy Management System）２６は、上述したように、需要家Ａ２０における消費電力量を削減するために設けられたエネルギー管理システムであって、図１に示すように、各センサ２２ａ，２３ａ，２４ａ，２７ａと接続されている。また、ＥＭＳ２６は、各センサ２２ａ，２３ａ，２４ａ，２７ａから受信した検出結果を用いて、ソーラーパネル２１および風力発電装置２３における発電電力および蓄電装置２７から供給される電力を効率よく負荷２４に対して供給する。
【００５９】
これにより、系統４０から供給される電力の消費量を抑制して、需要家Ａ２０における電力コストを効果的に削減することができる。さらに、ＥＭＳ２６は、電力供給制御システム１０の電力量情報取得部１２に対して、需要家Ａ２０における所定時間帯ごとの電力の需給状況に関する情報（需要条件、供給条件）を送信する。
具体的には、ＥＭＳ２６は、所定時間帯ごとの各センサ２２ａ，２３ａ，２４ａ，２７ａからの検出結果を受信するとともに、天気予報に関する情報および需要家Ａ２０の生活パターンに応じた過去の消費電力量に関するデータ等を送信する。
【００６０】
電力状況取得部２６ａは、ＥＭＳ２６内に設けられており、電力会社から系統４０を介して需要家Ａ２０に供給される電力の供給状況に関する情報を取得する。具体的には、電力状況取得部２６ａは、系統４０に接続された配電網Ｏから供給される電力の状況を監視して、例えば、停電や電力供給が逼迫した状況になったことを検出する。そして、電力状況取得部２６ａは、検出結果を電力供給制御システム１０（電力状況取得部１１）へと送信する。
【００６１】
このように、複数の需要家のそれぞれに電力状況取得部２６ａを配置したことで、停電のように系統４０からの電力供給に異常が発生した場合に、需要家Ａ２０を含むどの範囲まで異常が発生しているのかを把握することができる。
蓄電装置２７は、ソーラーパネル２１および風力発電装置２３において発電した電力のうち、負荷２４によって消費しきれなかった余剰電力を一時的に蓄えるために設けられている。これにより、ソーラーパネル２１および風力発電装置２３によって発電する日中の時間帯において、負荷２４による消費電力量が少ない場合でも、余った電力を蓄電装置２７へ蓄えておくことで、発電した電力を捨ててしまう無駄を排除できる。
【００６２】
蓄電電力用電力センサ２７ａは、図１に示すように、蓄電装置２７に接続されており、蓄電装置２７において蓄えられている電力量を測定する。そして、蓄電電力用電力センサ２７ａは、ＥＭＳ２６に対して測定結果（蓄電量）を送信する。
スイッチング部２８，２９は、需要家Ａ２０と系統４０に接続された配電網Ｏとの間をつなぐ配電線上、同じ需要家群に属する需要家Ａ２０，Ｂ３０の間における電力の配電線上にそれぞれ設けられている。
【００６３】
スイッチング部２８は、系統４０と需要家Ａ２０の分電盤２５との接続を切り替える接続切替手段であって、系統４０からの電力供給を需要家Ａ２０が切断したい場合にＯＦＦになるように制御される。
スイッチング部２９は、需要家群内において電力供給過剰な時間帯には、ＯＮになるように切り替えられる。これにより、余剰電力が発生した需要家から電力を必要とする他の需要家に対して電力が供給される経路を確保する。
【００６４】
本実施形態では、需要家Ａ２０は、所定時間帯ごとに、外部から余剰電力の供給を希望する側、外部へ余剰電力を供給する側が入れ替わる。このため、需要家Ａ２０においては、ソーラーパネル２１および風力発電装置２３による発電電力量と蓄電装置２７の蓄電量の総和量よりも、負荷２４による消費電力量の方が大きい時間帯と小さい時間帯とが存在するものとする。
【００６５】
（需要家Ｂ）
需要家Ｂ３０は、図１に示すように、ＥＭＳ（Energy Management System）３６を介して、電力供給制御システム１０に対して、所定時間帯ごとの需要家Ｂ３０における電力の需給状況に関する情報を送信する。そして、需要家Ｂ３０は、図１に示すように、バイナリー発電装置（電力供給装置）３１、電気自動車（電力供給装置）３２、電気自動車用電力センサ３２ａ、負荷３４、負荷用電力センサ３４ａ、分電盤３５、ＥＭＳ３６、電力状況取得部３６ａ、スイッチング部３７を備えている。
【００６６】
バイナリー発電装置（電力供給装置）３１は、主に１００℃程度の水等の熱源を用いた発電装置であって、需要家Ｂ３０の敷地内に設置されている。バイナリー発電装置３１は、太陽熱発電または太陽光発電によって発電した電気をヒートポンプによって熱に変換して蓄熱される。よって、バイナリー発電装置３１における蓄熱量は、天気によって変動する。このため、バイナリー発電装置３１による発電電力量は、天気予報の日照時間に関する情報に基づいて予測することができる。
【００６７】
発電電力用電力センサ３１ａは、図１に示すように、バイナリー発電装置３１に接続されており、バイナリー発電装置３１において発電した電力量を測定する。そして、発電電力用電力センサ３１ａは、ＥＭＳ３６に対して測定結果（発電量）を送信する。
電気自動車３２は、需要家Ｂ３０が所有する電力供給装置の一種であって、搭載するバッテリの電力量を、分電盤３５を介して供給する。なお、電気自動車３２は、搭載バッテリに充電する際には、電力供給装置ではなく、負荷３４の一種となる。
【００６８】
電気自動車用電力センサ３２ａは、図１に示すように、電気自動車３２に接続されており、電気自動車３２に搭載されたバッテリから供給される電力を測定する。そして、電気自動車用電力センサ３２ａは、ＥＭＳ３６に対して、測定結果（供給電力量）を送信する。
負荷３４は、上述したように、一般家庭におけるエアコン、照明、テレビ（ＴＶ）、冷蔵庫等の家電製品、工場等における設備、空調装置等の電力消費体であって、系統４０から供給される電力、バイナリー発電装置３１によって発生した電力、電気自動車３２から供給された電力を消費する。
【００６９】
負荷用電力センサ３４ａは、図１に示すように、負荷３４に接続されており、負荷３４によって消費される電力量を測定する。そして、負荷用電力センサ３４ａは、ＥＭＳ３６に対して測定結果（消費電力量）を送信する。
分電盤３５は、図１に示すように、発電電力用電力センサ３１ａ、電気自動車用電力センサ３２ａ、負荷用電力センサ３４ａと接続されている。そして、分電盤３５は、バイナリー発電３１において発電した電力および電気自動車３２から供給される電力を、負荷３４に対して供給する。さらに、分電盤３５は、時間帯によって発生した余剰電力を、スイッチング部３７，２９等を介して、需要家Ａ２０あるいは系統４０へと供給する。これにより、需要家Ｂ３０は、同じ需要家群に所属する需要家Ａ２０あるいは電力会社に対して余剰電力を売電することができる。
【００７０】
ＥＭＳ（Energy Management System）３６は、上述したように、需要家Ｂ３０における消費電力量を削減するために設けられたエネルギー管理システムであって、図１に示すように、各センサ３１ａ，３２ａ，３４ａと接続されている。また、ＥＭＳ３６は、各センサ３１ａ，３２ａ，３４ａから受信した検出結果を用いて、バイナリー発電装置３１における発電電力および電気自動車３２から供給された電力を効率よく負荷３４に対して供給する。これにより、系統４０から供給される電力の消費量を抑制して、需要家Ｂ３０における電力コストを効果的に削減することができる。さらに、ＥＭＳ３６は、電力供給制御システム１０の電力量情報取得部１２に対して、需要家Ｂ３０における所定時間帯ごとの電力の需給状況に関する情報（供給条件、需要条件）を送信する。
【００７１】
具体的には、ＥＭＳ３６は、所定時間帯ごとの各センサ３１ａ，３２ａ，３４ａからの検出結果を受信するとともに、天気予報に関する情報および需要家Ｂ３０の生活パターンに応じた過去の消費電力量に関するデータ等を送信する。
電力状況取得部３６ａは、ＥＭＳ３６内に設けられており、電力会社から系統４０を介して需要家Ｂ３０に供給される電力の供給状況に関する情報を取得する。具体的には、電力状況取得部３６ａは、系統４０に接続された配電網Ｏから供給される電力の状況を監視して、例えば、停電や電力供給が逼迫した状況になったことを検出する。そして、電力状況取得部３６ａは、検出結果を電力供給制御システム１０（電力状況取得部１１）へと送信する。
【００７２】
このように、複数の需要家のそれぞれに電力状況取得部３６ａを配置したことで、停電のように系統４０からの電力供給に異常が発生した場合に、需要家Ｂ３０を含むどの範囲まで異常が発生しているのかを把握することができる。
スイッチング部３７は、系統４０に接続された配電網Ｏから供給される電力の配電線上に設けられている。そして、スイッチング部３７は、系統４０と需要家Ｂ３０の分電盤３５との接続を切り替える接続切替手段であって、系統４０からの電力供給を需要家Ｂ３０が切断したい場合にＯＦＦになるように制御される。
【００７３】
本実施形態では、需要家Ｂ３０は、所定時間帯ごとに、外部から余剰電力の供給を希望する側と、外部へ余剰電力を供給する側とが入れ替わる。このため、需要家Ｂ３０においては、バイナリー発電装置３１による発電電力と電気自動車３２に搭載されたバッテリの蓄電量との総和量よりも、負荷３４による消費電力量の方が大きい時間帯と小さい時間帯とが存在するものとする。
【００７４】
（電力供給制御システム１０の構成）
本実施形態の電力供給制御システム１０は、系統４０から各需要家Ａ２０，Ｂ３０に対する電力の供給状況に応じて、需要家間における余剰電力を融通し合うために設けられている。そして、電力供給制御システム１０は、図１に示すように、電力状況取得部１１、電力量情報取得部１２、電力需給予測部１３、マッチング部１４、記憶部１５、および制御部１６を備えている。
【００７５】
電力状況取得部１１は、需要家Ａ２０および需要家Ｂ３０にそれぞれ設けられた電力状況取得部２６ａ，３６ａと同様に、系統４０から供給される電力の供給状況に関する情報を取得する。
ここで、上述したように、需要家Ａ２０および需要家Ｂ３０にそれぞれ設けられた電力状況取得部２６ａ，３６ａは、系統４０から各需要家Ａ２０、需要家Ｂ３０に対する電力供給状況を検出するために設けられている。これに対して、電力状況取得部１１は、複数の需要家における系統４０からの電力供給状況に関する情報を取得して、停電等が発生した配電網Ｏ，Ｍ等の範囲を検出する。
【００７６】
電力量情報取得部１２は、図１に示すように、電力状況取得部１１を介して、需要家Ａ２０のＥＭＳ２６および需要家Ｂ３０のＥＭＳ３６から、それぞれの需要家における電力の需給状況に関する情報を取得する。
電力需給予測部１３は、図１に示すように、電力量情報取得部１２において取得された情報に基づいて、需要家Ａ２０および需要家Ｂ３０を含む需要家群内における所定時間帯ごとの電力の需給状況を予測する。
【００７７】
ここで、電力量情報取得部１２において取得される供給情報としては、ソーラーパネル２１、風力発電装置２３、バイナリー発電装置３１の発電能力、天気予報に関する情報、蓄電装置２７の現在の蓄電量、電気自動車３２に搭載されたバッテリの電力量等が含まれる。これにより、電力需給予測部１３では、所定時間帯ごとの電力供給量を予測することができる。
【００７８】
一方、電力量情報取得部１２において取得される需要情報としては、需要家Ａ２０，Ｂ３０が所有する負荷２４，３４の種類、生活パターンに応じて変化する消費電力量のデータ等が含まれる。これにより、電力需給予測部１３では、所定時間帯ごとの消費電力量を予測することができる。
マッチング部１４は、電力量情報取得部１２において取得された情報と電力需給予測部１３の予測結果とを用いて、所定時間ごとに余剰電力が発生する需要家と電力供給を必要とする需要家とを組み合わせる。より具体的には、マッチング部１４では、各需要家における必要な電力量と、その時間帯に生じる余剰電力量とを照合して、供給日時、電力量、供給に対する対価等の条件が合致する需要家の組合せを検出する。
【００７９】
なお、マッチング部１４によって検出される複数の需要家の組み合わせは、１組に限らず、条件を満たす組み合わせが複数ある場合には、複数の需要家の組み合わせを候補として検出してもよい。
そして、マッチング部１４は、条件を満たす組み合わせが複数ある場合には、例えば、余剰電力供給の対価、送電時のロス等の条件を加えて、最終的な組み合わせを絞り込んでいく。
【００８０】
記憶部１５は、電力量情報取得部１２において取得された情報、電力需給予測部１３における予測結果を取得するとともに、マッチング部１４におけるマッチングの結果を取得して、これらの情報を保存する。
制御部１６は、記憶部１５に保存された各種情報に基づいて、系統４０から各需要家Ａ２０，Ｂ３０に対する電力供給状況を検出するとともに、需要家Ａ２０と需要家Ｂ３０とを含む需要家群において電力が供給過剰となる時間帯を検出する。そして、制御部１６は、その時間帯に供給元の需要家から供給先の需要家へと電力供給する供給経路を確保する。すなわち、制御部１６は、停電のように系統４０からの電力供給に異常が生じた場合には、需要家Ａ２０，Ｂ３０との間において余剰電力の融通が可能となるように、スイッチング部２８，２９，３７を制御する。
【００８１】
＜電力供給制御方法＞
本実施形態の電力供給制御システム１０では、上述した構成により、図２および図３に示すフローチャートに従って、電力供給制御方法を実施する。
すなわち、ステップＳ１１では、電力状況取得部１１において、需要家Ａ２０および需要家Ｂ３０ごとの系統４０からの電力供給状況に関する情報を取得する。
【００８２】
具体的には、電力状況取得部１１は、図４に示すように、系統４０を介して電力を供給する電力系統（電力会社）、配電網、需要家、電力供給状況の情報を取得する。
図４に示す例では、Ｔ電力から配電網Ｏを介して、需要家Ａ２０，Ｂ３０に対して供給される電力が、供給停止状態にあることが分かる。また、同じＴ電力から配電網Ｍ（図１参照）を介して供給される電力供給状況は正常であることが分かる。
【００８３】
次に、ステップＳ１２では、電力状況取得部１１において取得した電力供給に関する情報を、記憶部１５に保存する。
次に、ステップＳ１３では、電力状況取得部１１において取得した電力供給に関する情報に基づいて、系統４０から各需要家Ａ２０，Ｂ３０に対する電力供給が停止されているか否か（電力供給≒０であるか否か）を判定する。
【００８４】
ここで、系統４０からの電力供給が停止した状況（例えば、停電）である場合には、ステップＳ１４へ進む。一方、系統４０からの電力供給が通常時の状態である場合には、制御を終了する。
次に、ステップＳ１４では、ステップＳ１３において系統４０からの電力供給が停止した状況であるため、電力量情報取得部１２において、需要家Ａ２０，Ｂ３０ごとの電力供給量に関する情報を取得する。
【００８５】
具体的には、電力量情報取得部１２は、図５に示すように、系統４０からの電力供給が停止した状態の配電網Ｏに属する需要家Ａ２０，Ｂ３０、需要家Ａ２０，Ｂ３０が所有する電力供給装置の種類、所定時間帯ごとに供給可能な電力量の予測値等の情報を取得する。
図５に示す例では、配電網Ｏに属する需要家Ａ２０において、ＰＶ（ソーラーパネル２１）から、２０１５／１０／３０の１０：００〜１８：００の時間帯に供給可能な電力量１００ｋｗｈという情報が取得される。また、配電網Ｏに属する需要家Ａ２０において、風力発電装置２３から、２０１５／１０／３０の１２：００〜１３：００の時間帯に供給可能な電力量５ｋｗｈという情報が取得される。さらに、配電網Ｏに属する需要家Ａ２０において、蓄電装置２７から、２０１５／１０／３０の７：００〜８：００の時間帯に供給可能な電力量５ｋｗｈという情報が取得される。
【００８６】
同様に、配電網Ｏに属する需要家Ｂ３０において、バイナリー発電装置３１から、２０１５／１０／３０の７：００〜８：００の時間帯に供給可能な電力量５ｋｗｈという情報が取得される。また、配電網Ｏに属する需要家Ｂ３０において、電気自動車３２から、２０１５／１０／３０の１２：００〜１３：００の時間帯に供給可能な電力量５ｋｗｈという情報が取得される。
【００８７】
次に、ステップＳ１５では、電力需給予測部１３において、需要家Ａ２０，Ｂ３０ごとに、電力需要予測に必要な情報を取得して、所定時間帯ごとの電力需要を予測する。
具体的には、電力需給予測部１３は、図６に示すように、配電網Ｏに属する需要家Ａ２０，Ｂ３０、需要家Ａ２０，Ｂ３０が所有する負荷の種類、所定時間帯ごとの負荷による消費電力量の予測値等の情報を取得する。
【００８８】
図６に示す例では、配電網Ｏに属する需要家Ａ２０において、エアコンによって、２０１５／１０／３０の１０：００〜１８：００の時間帯に電力量１００ｋｗｈを消費する見込みという情報が取得される。また、配電網Ｏに属する需要家Ａ２０において、照明によって、２０１５／１０／３０の１２：００〜１３：００の時間帯に電力量１０ｋｗｈを消費する見込みという情報が取得される。
【００８９】
同様に、配電網Ｏに属する需要家Ｂ３０において、ＴＶによって、２０１５／１０／３０の７：００〜８：００の時間帯に電力量１０ｋｗｈを消費する見込みという情報が取得される。
次に、ステップＳ１６では、制御部１６が、需要家Ａ２０，Ｂ３０ごとの電力の需給予測結果に基づいて、余剰電力が生じる需要家から電力が不足する需要家に対して電力供給されるように、電力の供給元、供給先を決定する。
【００９０】
具体的には、制御部１６は、図５に示す電力の供給予測と図６に示す電力の需要予測とに基づいて、図７に示すように、余剰電力の供給元、供給先、電力供給装置の種類、供給される電力量、所定時間帯等を決定する。
図７に示す例では、２０１５／１０／３０の７：００〜８：００の時間帯に、供給元となる需要家Ａ２０から供給先となる需要家Ｂ３０に対して、需要家Ａ２０が所有する蓄電装置２７から、５ｋｗｈの余剰電力が供給される。
【００９１】
一方、２０１５／１０／３０の１２：００〜１３：００の時間帯には、供給元となる需要家Ｂ３０から供給先となる需要家Ａ２０に対して、需要家Ｂ３０が所有する電気自動車３２から、５ｋｗｈの余剰電力が供給される。
これにより、系統４０からの電力供給が停止する等の異常が発生した場合でも、複数の需要家Ａ２０，Ｂ３０を含む需要家群において余剰電力が発生すると予測される際に、その供給元、供給先の需要家を所定時間帯ごとに決定することができる。
【００９２】
この結果、系統４０からの電力の供給状況に応じて、複数の需要家間において余剰電力を有効に活用することができる。
次に、ステップＳ１７では、図７に示す余剰電力の供給元、供給先、所定時間帯に関する情報が、記憶部１５に保存される。
＜供給元、供給先となる需要家の選択＞
本実施形態の電力供給制御システム１０では、図２に示すフローチャートに従って、系統４０からの電力供給に異常が生じた場合でも、複数の需要家を含む需要家群内において、余剰電力の融通を行う。
【００９３】
具体的には、需要家Ａ２０を中心に考えると、停電等の系統４０からの電力供給異常が検出されると、図３に示すフローチャートに従って、余剰電力の発生の有無、その供給先等を決定する。
すなわち、ステップＳ２１では、需要家Ａ２０において、所定時間帯ごとに負荷２４による電力の消費があるか否かを判定する。ここで、負荷２４が存在する場合には、ステップＳ２２へ進み、存在しない場合には、ステップＳ３０へ進む。
【００９４】
次に、ステップＳ２２では、需要家Ａ２０が所有する負荷２４による消費電力量と電力供給装置による電力供給量（発電量＋蓄電量）とを比較して、電力供給量の方が多いか否かを判定する。ここで、電力供給量が消費電力量よりも多い場合には、ステップＳ２５へ進み、電力供給量が消費電力量よりも少ない場合には、ステップＳ２３へ進む。
次に、ステップＳ２３では、電力供給量が消費電力量よりも少ないために、需要家Ａ２０において余剰電力の発生なしと判定する。
【００９５】
次に、ステップＳ２４では、需要家Ａ２０において確保される電力は、全て自家（需要家Ａ２０）内へ供給されるように設定され、処理を終了する。
一方、ステップＳ２５では、ステップＳ２２およびステップＳ３０における判定の結果、需要家Ａ２０において余剰電力ありと判定される。
次に、ステップＳ２６では、需要家Ａ２０において発生した余剰電力を供給可能な他の需要家が存在するか否かを判定する。ここで、供給先が存在する場合には、ステップＳ２７へ進み、供給先が存在しない場合には、ステップＳ２９へ進む。
【００９６】
次に、ステップＳ２７では、余剰電力の供給先となる他の需要家が存在しているため、供給先となる需要家Ｂ３０を決定する。
なお、余剰電力の供給先として複数の需要家が存在する場合には、所定の条件に基づいて優先順位を付けて、供給先を決定する。
具体的な条件としては、病院等の公共機関、親族、友人等の需要家を優先的に選択するように予め条件設定されていればよい。
【００９７】
次に、ステップＳ２８では、需要家Ｂ３０に対して余剰電力を供給した場合に、蓄電装置２７にまだ蓄電量があるか否かを判定する。ここで、蓄電量があると判定された場合には、再びステップＳ２６へ戻り、供給先を探すフローに入る。一方、需要家Ｂ３０へ余剰電力を供給した場合に、蓄電量がないと判定された場合には、ステップＳ２９へ進む。
一方、ステップＳ２９では、ステップＳ２６において余剰電力の供給先がないと判定されたため、余剰電力の供給先を自家（需要家Ａ２０）が所有する蓄電装置２７に設定して処理を終了する。
【００９８】
一方、ステップＳ３０では、需要家Ａ２０において負荷２４による電力消費がない状況であるため、需要家Ａ２０が所有する電力供給装置による電力供給量があるか否かを判定する。ここで、電力供給量がある場合には、ステップＳ２５へ進み、電力供給量がない場合には、ステップＳ３１へ進む。
次に、ステップＳ３１では、需要家Ａ２０において、電力供給装置に夜電力供給がない状況であるため、需要家Ａ２０において余剰電力の発生はないと判定し、処理を終了する。
【００９９】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、本発明に係る電力供給制御方法として、図２および図３に示すフローチャートに従って、電力供給制御を実施する例を挙げて説明した。しかし、本発明はこれに限定されるものではない。
例えば、図２および図３に示すフローチャートに従って実施される電力供給制御方法をコンピュータに実行させる電力供給制御プログラムとして、本発明を実現してもよい。
また、この電力供給制御プログラムを格納した記録媒体として、本発明を実現してもよい。
【０１００】
（Ｂ）
上記実施形態では、電力状況取得部１１および電力量情報取得部１２が、ＥＭＳ２６，３６から自動的に、各需要家Ａ２０，Ｂ３０における電力の供給状況、需給情報に関する情報を取得する例を挙げて説明した。しかし、本発明はこれに限定されるものではない。
【０１０１】
例えば、図８に示すように、上記情報を、電子端末１２９，１３９を介して取得してもよい。
すなわち、各需要家Ａ１２０，Ｂ１３０における電力の供給状況、需給情報に関する情報のうちの少なくとも一部が、需要家Ａ１２０，Ｂ１３０によって、電子端末１２９，１３９を介して直接入力されてもよい。
【０１０２】
ここで、電子端末１２９，１３９としては、需要家Ａ１２０，Ｂ１３０が所有するＰＣやタブレット端末、スマートフォン、携帯電話等を用いることができる。
なお、電子端末は、各需要家にそれぞれ設置されている必要はなく、電子端末が設置された需要家と設置されていない需要家とを含む需要家群を構成してもよい。
この場合には、電子端末が設置されていない需要家については、上記実施形態と同様に、ＥＭＳから必要な情報を取得すればよい。
【０１０３】
（Ｃ）
上記実施形態では、図１に示すように、複数の需要家（需要家Ａ２０および需要家Ｂ３０）のそれぞれに電力状況取得部２６ａ，３６ａが設けられた例を挙げて説明した。しかし、本発明はこれに限定されるものではない。
例えば、図９に示すように、需要家Ａ２２０および需要家Ｂ２３０のＥＭＳ２２６，２３６に電力状況取得部を設けることなく、電力供給制御システム１０内にだけ、電力状況取得部１１を設けた構成であってもよい。
この場合でも、各需要家Ａ２２０，Ｂ２３０のＥＭＳ２２６，２３６から系統４０からの電力供給状況を取得することで、上記実施形態と同様の効果を得ることができる。
【０１０４】
（Ｄ）
上記実施形態では、複数の需要家（需要家Ａ２０および需要家Ｂ３０）のそれぞれに電力状況取得部２６ａ，３６ａが設けられた例を挙げて説明した。しかし、本発明はこれに限定されるものではない。
例えば、図１０に示すように、複数の需要家のうち、需要家Ａ２０だけに電力状況取得部２６ａが設けられた構成であってもよい。
あるいは、複数の需要家のうち、需要家Ｂ３０だけに電力状況取得部３６ａが設けられた構成であってもよい。
【０１０５】
（Ｅ）
上記実施形態では、図１に示すように、電力供給制御システム１０、および複数の需要家（需要家Ａ２０および需要家Ｂ３０）のそれぞれに電力状況取得部１１，２６ａ，３６ａが設けられた例を挙げて説明した。しかし、本発明はこれに限定されるものではない。
【０１０６】
例えば、図１１に示すように、複数の需要家（需要家Ａ２０および需要家Ｂ３０）の側のそれぞれに電力状況取得部２６ａ，３６ａが設けられた電力供給制御システム３１０であってもよい。
この場合には、各需要家（需要家Ａ２０および需要家Ｂ３０）において取得した系統４０からの電力供給状況を電力量情報取得部１２において受信して、記憶部１５に保存すればよい。これにより、制御部１６は、上記実施形態と同様に、系統４０から各需要家に対する電力の供給状況に応じて、余剰電力を融通し合うように、スイッチング部２８，２９，３７，４１を切替制御することができる。
【０１０７】
（Ｆ）
上記実施形態では、電力供給制御システム１０内に、各種情報を保存する記憶部１５を設けた例を挙げて説明した。しかし、本発明はこれに限定されるものではない。
例えば、電力供給制御システムの外部のサーバ、クラウドサービス等を、各種情報を保存する記憶部として利用してもよい。
【０１０８】
（Ｇ）
上記実施形態では、系統からの電力の供給状況として、系統からの電力供給が停止される停電発生時を例として挙げて説明した。しかし、本発明はこれに限定されるものではない。
例えば、停電時以外にも、夏季に空調装置の稼働率のアップ、電力会社が所有する発電所の一時的な操業停止等によって電力供給量に対して電力需要量が上回った状況において、本発明を実施してもよい。
【０１０９】
（Ｈ）
上記実施形態では、現時点における電力の供給状況（例えば、停電発生等）に関する情報を取得する例を挙げて説明した。しかし、本発明はこれに限定されるものではない。
例えば、将来的に、系統からの電力の供給状況が逼迫することが予測される場合には、将来の所定時間帯における系統からの電力供給状況を予測して、本発明を実施してもよい。
【産業上の利用可能性】
【０１１０】
本発明の電力供給制御システムは、系統からの電力の供給状況に応じて、複数の需要家間において余剰電力を有効に活用することができるという効果を奏することから、発電装置、蓄電池等の電力供給装置を所有する需要家群を含むコミュニティ等において広く適用可能である。
【符号の説明】
【０１１１】
１０      電力供給制御システム
１１      電力状況取得部
１２      電力量情報取得部
１３      電力需給予測部
１４      マッチング部
１５      記憶部
１６      制御部
２０      需要家Ａ（第１の需要家、第２の需要家）
２１      ソーラーパネル（電力供給装置（発電装置））
２２      太陽光発電用電力変換装置（ＰＣＳ）
２２ａ    発電電力用電力センサ
２３      風力発電装置（電力供給装置（発電装置））
２３ａ    風力発電用電力センサ
２４      負荷
２４ａ    負荷用電力センサ
２５      分電盤
２６      ＥＭＳ
２６ａ    電力状況取得部
２７      蓄電装置
２７ａ    蓄電電力用電力センサ
２８      スイッチング部
２９      スイッチング部
３０      需要家Ｂ（第２の需要家、第１の需要家）
３１      バイナリー発電装置（電力供給装置（発電装置））
３１ａ    発電電力用電力センサ
３２      電気自動車
３２ａ    電気自動車用電力センサ
３４      負荷
３４ａ    負荷用電力センサ
３５      分電盤
３６      ＥＭＳ
３６ａ    電力状況取得部
３７      スイッチング部
４０      系統
４１      スイッチング部
１２０    需要家Ａ（第１の需要家、第２の需要家）
１２９    電子端末
１３０    需要家Ｂ（第２の需要家、第１の需要家）
１３９    電子端末
２２０    需要家Ａ（第１の需要家、第２の需要家）
２２６    ＥＭＳ
２３０    需要家Ｂ（第２の需要家、第１の需要家）
２３６    ＥＭＳ
３１０    電力供給制御システム
【図１】
0006786815.tif 000002
【図２】
0006786815.tif 000003
【図３】
0006786815.tif 000004
【図４】
0006786815.tif 000005
【図５】
0006786815.tif 000006
【図６】
0006786815.tif 000007
【図７】
0006786815.tif 000008
【図８】
0006786815.tif 000009
【図９】
0006786815.tif 000010
【図１０】
0006786815.tif 000011
【図１１】
0006786815.tif 000012